(57)【要約】【課題】光ディスクにおいてデータ記録効率を向上させた光ディスクへのデータ記録方法、装置を提供することを目的とする。【解決手段】ブロック７０８からデータＤ１、Ｄ２、Ｄ３、Ｄ４の記録を開始する場合において、ブロック７０８の直前のブロック７０７の最終セクタＰに同期引き込みパターンを含むダミーデータを記録し、続くブロック７０８にデータＤ１、Ｄ２、Ｄ３、Ｄ４を記録する。再生時には、セクタＰに記録されたダミーデータの再生中にＰＬＬの同期引き込みを行い、同期引き込み状態を保持したまま、ブロック７０８に記録されたデータＤ１、Ｄ２、Ｄ３、Ｄ４を再生する。【選択図】図７
2007317357.tif 000002
【特許請求の範囲】
【請求項１】
複数のブロックで構成されるコンテンツとして記録されるデータと、
前記複数のブロックの各ブロックの始端に隣接した領域に記録される始端ダミーデータと、
前記複数のブロックの各ブロックの終端に隣接した領域に記録される終端ダミーデータと、
前記複数のブロックの最後の終端ダミーデータの終端に隣接した領域に記録されるエンド・ダミーデータと、が記録され、
前記複数のブロック中の各ブロックは、複数のセクタから構成され、エラー訂正符号を含み、
アドレス情報はトラックのウォブルに重畳して予め記録されており、
前記始端ダミーデータは、
前記終端ダミーデータ及び前記エンド・ダミーデータとは異なる長さを有し、
前記終端ダミーデータ及び前記エンド・ダミーデータと共通する所定パターンを繰り返したパターンを含み、
前記終端ダミーデータは、
前記始端ダミーデータ及び前記エンド・ダミーデータとは異なる長さを有し、
前記始端ダミーデータ及び前記エンド・ダミーデータと共通する所定パターンを繰り返したパターンを含み、
前記エンド・ダミーデータは、
前記始端ダミーデータ及び前記終端ダミーデータとは異なる長さを有し、
前記始端ダミーデータ及び前記終端ダミーデータと共通する所定パターンを繰り返したパターンを含み、
前記始端ダミーデータ，前記終端ダミーデータ及び前記エンド・ダミーデータの少なくともいずれかは、前記所定パターンとは異なるパターンを含む、
情報記録媒体。
【請求項２】
情報記録媒体にデータを記録する方法であって、
複数のブロックで構成されるコンテンツとしてデータを記録するステップと、
前記複数のブロックの各ブロックの始端に隣接した領域に始端ダミーデータを記録するステップと、
前記複数のブロックの各ブロックの終端に隣接した領域に終端ダミーデータを記録するステップと、
前記複数のブロックの最後の終端ダミーデータの終端に隣接した領域にエンド・ダミーデータを記録するステップと、を含み、
前記複数のブロック中の各ブロックは、複数のセクタから構成され、エラー訂正符号を含み、
アドレス情報はトラックのウォブルに重畳して予め記録されており、
前記始端ダミーデータは、
前記終端ダミーデータ及び前記エンド・ダミーデータとは異なる長さを有し、
前記終端ダミーデータ及び前記エンド・ダミーデータと共通する所定パターンを繰り返したパターンを含み、
前記終端ダミーデータは、
前記始端ダミーデータ及び前記エンド・ダミーデータとは異なる長さを有し、
前記始端ダミーデータ及び前記エンド・ダミーデータと共通する所定パターンを繰り返したパターンを含み、
前記エンド・ダミーデータは、
前記始端ダミーデータ及び前記終端ダミーデータとは異なる長さを有し、
前記始端ダミーデータ及び前記終端ダミーデータと共通する所定パターンを繰り返したパターンを含み、
前記始端ダミーデータ，前記終端ダミーデータ及び前記エンド・ダミーデータの少なくともいずれかは、前記所定パターンとは異なるパターンを含む、
記録方法。
【請求項３】
請求項１に記載の情報記録媒体を再生する方法であって、
前記始端ダミーデータを再生するステップと、
前記始端ダミーデータの終端に隣接したブロックに記録されたデータを再生するステップと、
を含む、再生方法。
【発明の詳細な説明】
【技術分野】
【０００１】
本発明は、レーザ光を光ディスクに照射することで情報の記録を行う光ディスク装置におけるデータ記録方法に関するものである。
【背景技術】
【０００２】
近年、光ディスクは映像用途としての要望が高く、より高画質、長時間の映像記録を行えるように、高密度化、高速化が望まれている。その為には、より微細な情報を記録する為の開発が必要であるが、直接情報容量に寄与しない部分、例えばアドレス領域といった、いわゆるオーバーヘッド領域の削減も重要である。
【０００３】
図１０は従来の光ディスクのトラック上のセクタの物理的な構造を説明した図である。図１０において、光ディスクは情報の単位であるセクタ９０１を有し、セクタ９０１はアドレス情報を示すアドレス領域９０２と、情報の記録再生が可能なデータ領域９０３とからなる。なおデータ領域９０３は、溝状のグルーブトラック９０４と、グルーブトラックの間に挟まれたランドトラック９０５の双方のトラックに存在する。またアドレス領域９０２は、光ディスク製造時に凹凸ピットで記録された書き換え不可能なヘッダ領域９０６と、ミラー領域９０７から構成される。
【０００４】
図１１はセクタのフォーマットを示した図である。セクタは前述のようにアドレス領域９０２とデータ領域９０３に分けられる。アドレス領域９０２は、１２８バイトの長さを持つヘッダ領域９０６と２バイトのミラー領域９０７から構成される。データ領域９０３は、ユーザデータが記録される２４１８バイトのユーザデータ領域１００７と、再生時のＰＬＬ（Phase Locked Loop）の引き込みや、繰り返し記録時の始端劣化を吸収するための６８バイトの同期引き込み領域１００６と、記録の際の位置ずれや、繰り返し記録時の終端劣化を吸収するための８１バイトのバッファ領域１００８とから構成される。
【発明の開示】
【発明が解決しようとする課題】
【０００５】
上記光ディスクでは、一つのセクタのユーザデータ領域に２４１８バイトのデータを記録するために、１２８バイトのヘッダ領域と、２バイトのミラー領域と、６８バイトの同期引き込み領域と、８１バイトのバッファ領域が必要となり、合計で２６９７バイトのセクタ長が必要となる。さらにデータ部にはエラー訂正分が含まれているので、結局２０４８バイトのデータに対して、２６９７バイトのセクタ長が必要になる。このとき、ディスク上に信号を記録する際のディスク利用効率（フォーマット効率）は、７５．９％（＝２０４８／２６９７）である。つまり２４．１％の冗長を含んだフォーマットとなっている。
【０００６】
例えば４．７ＧＢの容量を記録する場合、フォーマット効率１００％の場合と前述のように７５．９％のフォーマット効率では、フォーマット効率が低い後者の場合に単位面積あたりに多くの情報を詰め込まなければならず、記録再生信号の品質を前者に比べて劣化させてしまうことになる。冗長度を下げるための一つの方法として、データ部における同期引き込み領域１００６を低減することが考えられるが、この場合には、特に一連のデータの先頭部分においてＰＬＬの同期引き込みが難しくなるという課題があった。
【０００７】
本発明は、上記課題を解決するためになされたものであり、その目的とするところは、光ディスクへの信号記録時のディスク利用効率を向上させるために、ＰＬＬの同期引き込み領域を低減した場合でも、安定した同期引き込みを可能とする記録方法、記録装置を提供することにある。
【課題を解決するための手段】
【０００８】
本発明に係る光学情報の記録方法は、データが記録されるデータ領域を有する複数のセクタから構成された光ディスクに、所定数のセクタからなりエラー訂正符号を含んだデータの単位であるブロック毎に、データを光学的に記録する光学情報の記録方法である。その記録方法は、コンテンツのデータを分割して複数のセクタに連続して記録する際に、データの記録が開始されるセクタの直前の領域に同期引き込みのためのダミーデータを記録し、ダミーデータが記録された領域に続くセクタにコンテンツのデータを連続して記録する。
【０００９】
上記の記録方法において、ダミーデータが記録される直前の領域は、データの記録が開始されるセクタの直前のセクタであってもよい。
【００１０】
または、上記の記録方法において、ダミーデータが記録される直前の領域は、ブロック間の領域であってもよい。
【００１１】
データが記録される各セクタの始端部、終端部の少なくともいずれかにもダミーデータを記録するようにしてもよい。
【００１２】
ダミーデータは、単一周波数を有する同期引き込みパターンを含むことが好ましい。または、ダミーデータは、所定のパターンが繰り返してなるパターンを含んでもよい。
【００１３】
光ディスクの記録領域が再生時にディスク回転数の異なるような複数のゾーンに分割されている場合、ダミーデータを記録する領域はゾーンの最内周付近にあってもよい。
【００１４】
コンテンツの記録中に記録が中断した際に、その後にコンテンツの記録を再開するセクタの直前の領域にダミーデータを記録してもよい。
【００１５】
コンテンツの先頭のブロックの直前に記録するダミーデータは、コンテンツ内の各ブロックの直前に記録するダミーデータよりも長いことが好ましい。
【００１６】
コンテンツの最終のブロックの直後に記録するダミーデータは、コンテンツ内の各ブロックの直後に記録するダミーデータよりも長いことが好ましい。
【００１７】
本発明に係る光学情報の記録装置は、データが記録されるデータ領域を有する複数のセクタから構成された光ディスクに、所定数のセクタからなりエラー訂正符号を含んだデータの単位であるブロック毎に、データを光学的に記録する光学情報の記録装置である。記録装置は、光ディスクに光学的に情報を記録する記録手段と、記録手段の記録動作を制御する制御手段とを備える。制御手段は、コンテンツのデータを分割して複数のセクタに連続して記録する際に、データの記録が開始されるセクタの直前の領域に同期引き込みのためのダミーデータを記録し、前記ダミーデータが記録された領域に続くセクタにコンテンツのデータを連続して記録するよう、記録手段を制御する。
【００１８】
本発明に係る光ディスクは、データが記録されるデータ領域を有する複数のセクタから構成され、所定数のセクタからなりエラー訂正符号を含んだデータの単位であるブロック毎にデータが記録される光ディスクである。光ディスクにおいて、コンテンツのデータが分割して複数のセクタに連続して記録される際に、データの記録が開始されるセクタの直前の領域に同期引き込みのためのダミーデータが記録され、ダミーデータが記録された領域に続くセクタにコンテンツのデータが連続して記録される。
【発明の効果】
【００１９】
本実施の形態のように、データの再生を開始するセクタの直前のセクタにダミーデータを記録しておくことにより、同期引き込み領域を低減または削除しても、ＰＬＬの安定した同期引き込みを実現することができる。
【００２０】
さらに、データの再生を開始するセクタの直前のセクタへのダミーデータの記録に加えて、データ領域の始端部分にダミーデータを記録することにより、アドレス領域を通過する際にＰＬＬの同期引き込みが不安定になった場合でも、速やかに復帰することができる。さらに繰り返し記録を行った際に照射パワー差の大きいセクタ始端部から始まる記録膜劣化を吸収することができる。
【００２１】
さらに、データの再生を開始するセクタの直前のセクタへのダミーデータの記録に加えて、データ領域の終端部分にダミーデータを記録することにより、記録の際の位置ずれを吸収することができる。さらに繰り返し記録を行った際に照射パワー差の大きいセクタ終端部から始まる記録膜劣化を吸収することができる。
【００２２】
さらにダミーデータを同期引き込みのための単一周波数パターンとすることにより、より安定したＰＬＬの引き込みを実現することができる。
【発明を実施するための最良の形態】
【００２３】
以下、本発明の実施の形態における光学情報の記録方法について図面を参照しながら説明する。
【００２４】
＜実施の形態１＞
（光ディスクのトラック構成）
図１は本発明の実施の形態における光ディスクの平面図である。図１において、光ディスクは、溝状のグルーブトラック１０１、１０３と、溝間のランドトラック１０２とを有する。情報の単位であるセクタ１０４はアドレス領域１０５とデータ領域１０６から構成される。アドレス領域１０５は、光ディスク製造時に凹凸ピットで記録され、書き換え不可能な凹凸ピット群１１０を有するヘッダ領域１０８とミラー領域１０９から構成される。データ領域１０６は、グルーブトラック１０１、１０３とランドトラック１０２の双方のトラックに存在する。
【００２５】
なお、図１では、凹凸ピット群１１０はランドトラック１０２とグルーブトラック１０１、１０３の境界線上に配置され、例えば凹凸ピット群１１０は、ランドトラック１０２とグルーブトラック１０３の両方のトラックから検出することができる。しかし、凹凸ピット群１１０の配置はこれに限らず、図２に示すように、各々のトラックの中央に配置されていても良い。また、その場合でも、アドレス領域やデータ領域はグルーブトラックとランドトラックのどちらか一方のみに存在しても良い。
【００２６】
図３は、図１の光ディスクのセクタ構造の説明図である。図３（ａ）において、トラック３０１は複数のセクタ３０２〜３１１を含む。４つのセクタ３０３〜３０６が１つのブロック３１２を構成する。同様に４つのセクタ３０７〜３１０が１つのブロック３１３を構成する。ここで「ブロック」とはエラー訂正コードを含んだデータの記録単位であり、それに含まれるデータに対してエラー訂正が完結するデータ単位である。データの記録、再生はこのブロック単位で行なわれる。また各セクタ３０２、３０３…は前述のようにアドレス領域とデータ領域から構成される。例えばセクタ３０４は、先頭のアドレス領域３０４Ａと後続のデータ領域３０４Ｄから構成される（図３（ｂ）参照）。なお、本実施の形態では、セクタのアドレス情報は凹凸ピット群で記録されているが、これに限らず、データ領域がアドレス領域により分割されているのであればそれ以外の方法で記録されていても良い。
【００２７】
本実施の形態では、４つのセクタで１つのブロックを構成し、４つのセクタのアドレス領域を再生して一つのブロックアドレスを検出する。このような構成にすることにより、従来例に比して各セクタのアドレス領域を狭くすることができ（図７参照）、データ容量を増やすことができる。なお、データ領域には所定の変調則で変調した情報をピットとして記録する。ピットの形成は、例えば光ビームの照射パワーに強弱をつけて、記録層の材料の光学特性を変化させることにより行う。
【００２８】
また、本実施の形態では、４つのセクタで１つのブロックを構成し、４つのセクタのアドレス領域を全て再生して一つのブロックアドレスを検出しているが、ブロックを構成するセクタ数はこれ以外でも良い。また、ブロックを構成する一部のセクタのアドレス領域を再生することにより、ブロックアドレスを検出するようにしても良い。
【００２９】
なお、複数セクタのアドレス領域を再生して一つのブロックアドレスを検出する際には、先頭セクタを認識する必要がある。このため、例えば、図４に示すように、ブロック毎にミラー領域３１４、３１５、３１６を設けても良い。図４に示すミラー領域３１４、３１５、３１６の長さは、図１に示すミラー領域１０９の２倍以上とする。このように、ブロック毎に長いミラー領域を設けることにより、アドレス領域において例えば凹、凸、凹と並ぶピット列を“１”、凸凹凸と並ぶピット列を“０”、凸凸凹と並ぶピット列を“ブロック先頭”というように、凹凸ピット群のパターン化を行う際に、ブロックの先頭セクタを示すためのパターンを設ける必要がなくなり、パターン数を簡略化することができるとともに、それ以外のパターンの読み取り率を高めることができる。
【００３０】
（光学情報の記録装置の構成）
図５は本発明の実施の形態における光学情報の記録装置（以下「光ディスクドライブ」という。）のブロック図である。光ディスクドライブ５００は、光ディスク５０１に情報を記録する装置であって、スピンドルモータ５０２、光ヘッド５０３、光ビーム制御回路５０４、サーボ回路５０５、再生二値化回路５０６、ディジタル信号処理回路５０７、記録補償回路５０８及びＣＰＵ５０９で構成される。光ディスクドライブ５００はホストＰＣ５１０に接続する。
【００３１】
スピンドルモータ５０２は、光ディスク５０１を回転させるためのモータである。光ヘッド５０３は、光ビームを光ディスク５０１に照射すると共に、光ディスク５０１からの反射光を電気的な信号に変換して再生信号として出力する。光ビーム制御回路５０４は、光ヘッド５０３から出力される光ビームのパワーを制御する。この制御はＣＰＵ５０９の指示に基づいて行う。
【００３２】
サーボ回路５０５は、光ヘッド５０３の位置制御、フォーカス、トラッキングの制御、スピンドルモータ５０２の回転制御を行う。再生二値化回路５０６は、光ヘッド５０３より得られた再生信号に、増幅、二値化処理を行い、二値化信号を生成する。また内部のＰＬＬ（図示せず）により、二値化信号に同期したクロックを生成する。
【００３３】
ディジタル信号処理回路５０７は、アドレス読み出し時はアドレス部の二値化信号に対し、所定の復調処理、アドレス抽出処理を行う。データ再生時はデータ部の二値化信号に対し、所定の復調処理、エラー訂正処理を行い再生データを生成する。データ記録時は、記録データに対し、エラー訂正コード付加処理、所定の変調処理を行い、変調データを生成する。また後述するダミーデータの生成もディジタル信号処理回路５０７で行う。
【００３４】
記録補償回路５０８は、変調データをパルス列から構成される光変調データに変換し、さらに光変調データのパルス幅等を微妙に調整し、ピット形成に適した記録パルス信号に変換する。ＣＰＵ５０９は、光ディスクドライブ全体の制御を行う。ホストＰＣ５１０は、コンピュータ（図示せず）とアプリケーション（図示せず）やオペレーティングシステム（図示せず）で構成し、光ディスクドライブ５００に対して記録・再生要求を行う。
【００３５】
（光学情報の記録装置の動作）
以下、図３、図５を参照しながら光ディスクドライブ５００の記録再生時の動作を説明する。なお、以下では、図３（ａ）に示すトラック３０１においてセクタ３０７（すなわちブロック３１３）から１つのコンテンツに対する連続したデータの記録を開始する場合を例に説明する。
【００３６】
ホストＰＣ５１０よりＣＰＵ５０９に対して、データの記録要求がなされると（ここでは、ブロック３１３にデータを記録するための記録要求とする。）、サーボ回路５０５は、光ヘッド５０３を、記録要求のアドレスを有するセクタ付近にまで移動させる。
【００３７】
ディジタル信号処理回路５０７は、光ヘッド５０３、再生二値化回路５０６を経て得た二値化信号を基にアドレス読み出しの処理を開始し、セクタ３０３〜３０６のアドレス読み出しを行い、ブロック３１２のブロックアドレスを確定するとともにブロック３１３のブロックアドレスを予想する。そして、データの記録を開始するブロック３１３の直前にあるセクタ３０６にダミーデータ（ダミー信号）を記録する。ダミーデ−タには同期引き込みに適したパターンを用いる。このように、データを記録するブロック３１３の前にあるブロック３１２の最終セクタ３０６にダミーデータを記録することにより、このダミーデ−タによる同期引き込みが可能となるため、同期引き込みのための領域を削除または低減しても、ＰＬＬの安定した同期引き込みが可能となる。
【００３８】
その後、セクタ３０７のアドレス読み出しを行い、直前ブロックアドレスから予想されるアドレス情報と一致することを確認した後に、セクタ３０７からデータの記録を開始する。なお予想されるアドレス情報は、所望の再生タイミングにおけるアドレス領域の有無情報や、個々のピット列と予想されるピット列との間の全部もしくは部分的な一致に関する情報である。このとき光ヘッド５０３より出力される光ビームは、光ビーム制御回路５０４によってＣＰＵ５０９の指示した所定量のパワー値に制御されている。セクタ３０７の記録後は、順次アドレス読み出しを行いながらセクタ３０８〜３１０に所定のデータを記録する。
【００３９】
次に再生動作について説明する。再生時も記録時と同様、セクタ３０３〜３０６のアドレス読み出しを行い、セクタ３０６に記録されたダミーデータを再生する。再生二値化回路５０６は、この光ヘッド５０３より得られた再生信号に、増幅、二値化処理を行い、二値化信号を生成する。このとき内部のＰＬＬにより、二値化信号に同期したクロックを生成し、同期引き込み状態を保持したまま、セクタ３０７のアドレス読み出しを行ってから、セクタ３０７に記録されたデータの再生を開始する。
【００４０】
光ディスク５０１において、データは内周から外周の方向に記録していくとすると、トラック３０１は、例えば全データ領域における最内周付近のトラックであり、トラック３０１の内側にはデータが記録されていないものとする。
【００４１】
もしくは図６に示すように、光ディスクの記録領域が複数のゾーンに分けられている場合（例えば、ＺＣＬＶ制御の場合）は、トラック３０１は、各ゾーン６０２、６０３、６０４における最内周付近のトラックである。同一ゾーン内の、トラック３０１の内側にはデータが記録されていないものとする。図６の光ディスク５０１は、データ領域が３つのゾーンに分かれており、全てのゾーンでほぼ同一の線速度が得られるように、ゾーン毎にスピンドルモータ５０２の回転数が異なっている。
【００４２】
（セクタ構成の一例）
図７に本実施形態の光ディスクのセクタ構成を示す。セクタ８０１はアドレス領域８０２とデータ領域８０３を含む。アドレス領域８０２は、２４バイトの長さを持つヘッダ領域８０４と１２バイトのミラー領域８０５とから構成される。アドレス領域８０２のサイズは図１１に示す従来例に比して小さなサイズに設定している。本実施の形態では、４つのセクタのアドレス領域を再生して一つのブロックアドレスを検出すること、及び、前述のようにデータ記録を行うブロックの前のブロック内の最終セクタにおいて同期引き込みのためのダミーパターンを記録することにより、アドレス領域のサイズが小さい場合であっても同期引き込みを可能としている。
【００４３】
データ領域８０３は、１３バイトの前データ領域８０６と、２４１８バイトのユーザデータ領域８０７と、１３バイトの後データ領域８０８とからなる。前データ領域８０６、ユーザデータ領域８０７及び後データ領域８０８は通常一体としてユーザデータの記録のために使用されるが、必要に応じて、前データ領域８０６を図１１に示す同期引き込み領域１００６として、後データ領域８０８をバッファ領域１００８として使用してもよい。但し、それらのサイズは図１１に示す場合に比して小さなサイズにするのが好ましく、これによりフォーマット効率を向上できる。
【００４４】
（ダミーデータの種々の記録形態）
次に、ダミーデータの記録形態の種々の態様について説明する。図８（ａ）から（ｆ）は、それぞれ異なるダミーデータの記録形態を説明した図である。各記録形態においては４つのセクタが一つのブロックを構成している。例えば、図８（ａ）の記録形態では、ブロック７０７〜７１０のそれぞれが４つのセクタを含んでいる。また、図８において、セクタの斜線を施した部分はダミーデータが記録された部分であることを示す。データＤ１、Ｄ２、Ｄ３、Ｄ４が一のコンテンツＸを、データＤ５、Ｄ６、Ｄ７、Ｄ８が別のコンテンツＹを構成する。
【００４５】
図８（ａ）に示す記録形態は、図３、図５を用いてすでに説明した形態である。この記録形態では、ブロック７０８の各セクタにコンテンツＸのデータＤ１、Ｄ２、Ｄ３、Ｄ４を記録する際に、データが記録されるブロック７０８の前にあるブロック７０７の最終セクタＰにダミーデータを記録する。セクタＰにはデータ領域８０３全般にダミーデータが記録されている。なお、各セクタへのデータの記録においては、まず、セクタのアドレス情報を読み取り、アドレス情報の読み出しができたセクタについてデータの書き込みを行なう。
【００４６】
図８（ｂ）に示す記録形態は、コンテンツのデータを記録する領域の前のセクタに加え、データの始端部にもダミーデータを記録する場合の記録形態である。つまり、データ領域８０３において、前データ領域８０６を同期引き込み領域として使用してダミーデータを記録し、残りの領域８０７、８０８にユーザデータを記録する。ブロック７１２の各セクタにデータＤ１、Ｄ２、Ｄ３、Ｄ４を記録する際に、それらのデータを記録するブロック７１２の前にあるブロック７１１の最終セクタＰにダミーデータを記録すると共に、各データＤ１、Ｄ２、Ｄ３、Ｄ４の始端部（前データ領域８０６）にもダミーデータを記録する。このように、各データＤ１、Ｄ２、Ｄ３、Ｄ４の始端部にもダミーデータを記録することにより、アドレス領域を通過する際にＰＬＬの同期引き込みが不安定になった場合でも、ダミーデータ領域を再生することにより、速やかに復帰することができる。また繰り返し記録を行った際に照射パワー差の大きいセクタ始端部から始まる記録膜劣化を吸収することができる。
【００４７】
記録時に照射するパワーは再生時に照射するパワーよりも５倍から１０倍程度大きいので、アドレス領域とデータ領域の境界部において、照射パワー差が最大になり、熱的な膨張と収縮を繰り返すことにより記録膜が劣化することがある。このような劣化を防止するために、記録中にアドレス領域を再生する時には、通常の再生時の照射パワーより高い照射パワーで再生するのが好ましい。
【００４８】
図８（ｃ）に示す記録形態は、コンテンツのデータを記録する領域の前のセクタに加え、データの始端部及び終端部にダミーデータを記録する場合の記録形態である。つまり、データ領域８０３において、前データ領域８０６を同期引き込み領域として、後データ領域８０８をバッファ領域して使用し、それらの領域８０６、８０８にダミーデータを記録し、ユーザデータ領域８０７にユーザデータを記録する。ブロック７１６の各セクタにデータＤ１、Ｄ２、Ｄ３、Ｄ４を記録する際に、それらのデータが記録されるブロック７１６の前のブロック７１５の最終セクタＰにダミーデータを記録すると共に、各データＤ１、Ｄ２、Ｄ３、Ｄ４の始端部（前データ領域８０６）および終端部（後データ領域８０８）にもダミーデータを記録する。
【００４９】
各データＤ１、Ｄ２、Ｄ３、Ｄ４の始端部にもダミーデータを記録することにより、アドレス領域を通過する際にＰＬＬの同期引き込みが不安定になった場合でも、ダミーデータ領域を再生することにより、速やかに復帰することができる。また繰り返し記録を行った際に照射パワー差の大きいセクタ始端部から始まる記録膜劣化を吸収することができる。さらに各データＤ１、Ｄ２、Ｄ３、Ｄ４の終端部にもダミーデータを記録することにより、記録の際の位置ずれを吸収することができる。また、繰り返し記録を行った際に照射パワー差の大きいセクタ終端部から始まる記録膜劣化を吸収することができる。
【００５０】
図８（ｄ）に示す記録形態は、データの記録がブロック途中で中断された場合の記録形態である。ブロック７２０の各セクタにデータＤ１、Ｄ２、Ｄ３、Ｄ４を記録する際に、それらのデータが記録されるブロック７２０の前のブロック７１９の最終セクタＰ１にダミーデータを記録する。続いてデータＤ１、Ｄ２、…を記録する。このとき、何らかの理由でブロック７２０でのアドレス情報が検出できずブロック７２０でのデータの記録を中断したときは、その後、ブロックのアドレス情報を検出していき、アドレス情報が検出できたブロック（ここでは、ブロック７２１）において、そのブロック７２１の最終セクタＰ２にダミーデータを記録し、続いてブロック７２２の各セクタにＤ１、Ｄ２、Ｄ３、Ｄ４のデータを記録する。
【００５１】
このように、記録動作が何らかの原因で中断し、再開する際に、データの記録を再開するセクタの直前のセクタにダミーデータを記録することにより、記録時の不良が原因で再生時のＰＬＬの同期引き込みが一時的に不安定になった場合でも、ブロック７２１のダミーデータを再生することにより、速やかに復帰することができる。
【００５２】
図８（ｅ）に示す記録形態は複数のコンテンツを記録する際の形態である。ここでは、データＤ１、Ｄ２、Ｄ３、Ｄ４からなるコンテンツＸと、データＤ５、Ｄ６、Ｄ７、Ｄ８からなるコンテンツＹとを記録する際の例を説明する。
【００５３】
図８（ａ）に示す記録形態と同様に、コンテンツＸのデータＤ１〜Ｄ４が記録されるブロック７２４の前のブロック７２３の最終セクタＰにダミーデータを記録後、ブロック７２４の各セクタにデータＤ１、Ｄ２、Ｄ３、Ｄ４を記録する。その後、データＤ１、Ｄ２、Ｄ３、Ｄ４が記録されたブロック７２４に続いて、ブロック７２５の各セクタにコンテンツＹとして、データＤ５、Ｄ６、Ｄ７、Ｄ８を記録する。データＤ５以降のデータを再生する際には、ブロック７２３のダミーデータ、もしくはブロック７２４の再生中にＰＬＬの同期引き込みを行い、同期引き込み状態を保持したまま、以降のデータを再生する。
【００５４】
この記録形態のように、未記録セクタにつなげて新しいデータを記録する場合には、ダミーデータの記録を行い、一方、以前に記録されたデータにつなげて新しいデータを記録する場合には、ダミーデータの記録を行わないことにより、ユーザデータの記録容量を増やすことができる。
【００５５】
図８（ｆ）は複数のコンテンツを記録する際の別の記録形態を説明した図である。図８（ｆ）に示す記録形態では、ブロック７２７の最終セクタＰ１にダミーデータを記録し、ブロック７２８の各セクタにコンテンツＸのデータＤ１、Ｄ２、Ｄ３、Ｄ４を記録する。その後、コンテンツＹを記録する際に、まず、コンテンツＸのデータＤ１〜Ｄ４が記録されたブロック７２８に続くブロック７２９の最終セクタＰ２にダミーデータを記録し、その後、ブロック７３０の各セクタにデータＤ５、Ｄ６、Ｄ７、Ｄ８を記録する。
【００５６】
この記録形態のように、新しいコンテンツＹのデータを以前のコンテンツＸのデータにつなげて記録する際に、新しいコンテンツＹのデータの記録を開始するセクタの直前のセクタにダミーデータを記録することにより、二つのコンテンツＸ、Ｙのデータ間で、記録状態が大きく異なっていたり、変調方式が異なっていたり、ゾーンが切り替わっていたり、線速度や記録密度が異なっている場合でも、コンテンツＸ、Ｙ間に記録されたダミーデータを再生することにより、ＰＬＬの安定した同期引き込みを実現することができる。
【００５７】
なお、図８（ｅ）及び（ｆ）に示す記録形態は、ディスク毎もしくはデータ毎に切り替えて使用しても良い。このときデータ毎の記録形態の切り替え情報は、ディスクの特定領域、例えば図６のコントロールトラック６０１における記録可能な領域や、記録装置の特定領域に記録しておく。
【００５８】
二つの異なるコンテンツの境界セクタにおいて、記録状態が大きく異なっている場合や、変調方式が異なっている場合や、ゾーンが切り替わっている場合や、線速度や記録密度が異なっている場合を除いては、図８（ｅ）に示す記録形態では、目的とするセクタの十分前方のセクタからＰＬＬの同期引き込みを行うことにより、あるいは上記ステップを複数回繰り返すことにより、回転待ち時間はかかるものの再生できる可能性は高い。従って、一箇所に連続記録ができる場合や、たとえ複数の領域に記録されていても、メモリで長い回転待ち時間をカバーすることのできる場合に適している。
【００５９】
一方、図８（ｆ）に示す記録形態では、新しいデータの記録を開始するセクタの直前のセクタに同期引き込みのためのデータを記録することにより、短い回転待ち時間で、より確実にデータの再生を行うことができる。このため、複数の領域に分割して記録する場合や、メモリに長い回転待ちをカバーするだけの余裕がない場合に適している。なおメモリは図５のホストＰＣ５１０内に備えられ、データが連続的に出力されるように、ディジタル処理回路５０７から出力されるデータを一時的に蓄積する。
【００６０】
図８（ｃ）に示すデータ領域の始端部及び終端部にダミーデータを記録する記録形態の場合について、フォーマット効率を検討する。図７を参照すると、セクタ８０１のユーザデータ領域８０３に２４１８バイトのデータを記録するために、２４バイトのヘッダ領域８０４と、１２バイトのミラー領域８０５と、１３バイトの前データ領域８０６と、１３バイトの後データ領域８０８が必要となり、合計で２４８０バイトのセクタ長が必要となる。またユーザデータ領域に格納されるデータにはエラー訂正分（３７８バイト）が含まれているので、結局２０４８バイトのデータに対して、２４８０バイトのセクタ長が必要となる。このとき、ディスク上に信号を記録する際のディスク利用効率（フォーマット効率）は８２．５％（＝２０４８／２４８０）となり、図１１に示す従来例の場合（７５．９％）と比較して大幅に向上する。図８（ａ）、（ｂ）に示す場合のように、前データ領域８０６、後データ領域８０８にダミーデータではなくユーザデータを記録することにより、さらにフォーマット効率が向上できる。
【００６１】
以上のように、データの記録（再生）を開始するセクタの直前のセクタ（Ｐ、Ｐ１）にダミーデータを記録しておくことにより、データを記録するセクタ内の同期引き込みのための領域（前データ領域８０６及び後データ領域８０８に対応）の大きさを大幅に低減または削除することができる。すなわち、データの再生を開始するセクタの直前のセクタにダミーデータを記録することにより、同期引き込みのための領域の大きさを低減または削除しても、ＰＬＬの安定した同期引き込みを実現することができる。なお、図７において、ミラー領域８０５はヘッダ領域８０４の後方に配置されているが、ヘッダ領域８０４の前方に配置しても良い。前方に配置することにより、ヘッダ領域８０４の位置を容易に特定することができ、特に、起動時や異なる半径位置からのジャンプ後に、速やかにアドレス読み出しを開始することができる。
【００６２】
また、本実施の形態では、データの再生を開始するセクタの直前のセクタにダミーデータを記録しているが、ダミーデータの記録は直前のセクタに限らず、以降のセクタにおけるＰＬＬの安定した同期引き込みを実現するのであれば、直前のセクタを含む、それよりも前にある複数のセクタのそれぞれにダミーデータを記録しても良い。複数のセクタにダミーデータを記録することにより、ＰＬＬの引き込みに対するマージンを大きくすることができる。
【００６３】
同様に、本実施の形態では、データの再生を開始するセクタの直前のセクタの全データ領域にダミーデータを記録しているが、ダミーデータの記録は直前のセクタの全データ領域に限らず、以降のセクタにおけるＰＬＬの安定した同期引き込みを実現するのであれば、例えば直前のセクタの後半部分のみに記録するというように、セクタの終端部分を含む一部分だけにダミーデータを記録しても良い。
【００６４】
なお、ダミーデータは同期引き込みを可能とするパターンであれば任意のパターンでよいが、特に、単一周波数パターンであることが好ましい。単一周波数パターンを使用することにより、より安定したＰＬＬの引き込みを実現することができる。または、ダミーデータは、所定のパターンを繰り返したパターンであってもよい。
【００６５】
＜実施の形態２＞
（アドレス領域を設けない場合のダミーデータの記録形態）
以上の実施形態では、アドレス情報が記録されたアドレス領域をデータ領域間に設けている場合を説明した。しかし、トラックのウォブルにアドレス情報を重畳した場合のようにアドレス情報をアドレス領域以外で検出できる場合には、データ領域間にアドレス領域を設けなくても良い。すなわち、図７に示すセクタフォーマットにおいて、１つのセクタをデータ領域８０３のみで構成してもよい。
【００６６】
以下に、アドレス領域を設けない場合のダミーデータの記録形態について図９を用いて具体的に説明する。
【００６７】
図９（ａ）、（ｂ）、（ｃ）にそれぞれ異なるダミーデータの記録形態を示す。各記録形態においては例えば４つのセクタが一つのブロックを構成する。例えば、図９（ａ）では、ブロック１１０４、１１０５が４つのセクタで構成される。また、図９において斜線で示す領域はダミーデータが記録された領域を示す。
【００６８】
図９（ａ）の記録形態では、ブロック１１０５の各セクタにデータＤ１、Ｄ２、Ｄ３、Ｄ４を記録する際に、ブロック１１０４とブロック１１０５に挟まれた隙間の領域１１０３にダミーデータを記録する。このとき隙間の領域１１０３の長さはセクタ１１０２の長さより短いのが好ましい。領域１１０３の長さをセクタ１１０２の長さよりも短くすることにより、データ領域を多くとることができ、大容量の光ディスクを実現することができる。
【００６９】
図９（ｂ）の記録形態では、ブロック１１１１の各セクタにデータＤ１、Ｄ２、Ｄ３、Ｄ４を記録する前に、ブロック１１１０とブロック１１１１に挟まれた隙間の領域１１０８にダミーデータを記録する。その後、ブロック１１１１にデータＤ１、Ｄ２、Ｄ３、Ｄ４を記録し、そのブロック１１１１の直後の領域１１０９にもダミーデータを記録する。ここで、領域１１０８に記録されたダミーデータと領域１１０９に記録されたダミーデータとは、それらの長さやパターンは異ならせてもよい。両ダミーデータの長さやパターンを変えることにより、ダミーデータを再生することで、ブロックの先頭であるかどうかを認識することができる。なお、領域１１０８と領域１１０９に記録されたダミーデータにおいて、それぞれのダミーデータがパターンの異なる複数の連続パターンから構成されているときには、その中の一部のパターンや長さは共通していても良い。共通部分を設けることにより、パターンを認識するための装置の構成を簡単にすることができる。
【００７０】
次に図９（ｃ）の記録形態について説明する。ここでは、データＤ１〜Ｄ１２が一つのコンテンツを形成しているものとする。
【００７１】
まず、ブロック１１２３の各セクタにデータＤ１、Ｄ２、Ｄ３、Ｄ４のデータを記録する前に、ブロック１１２２とブロック１１２３に挟まれた隙間の領域１１１４及び１１１５にダミーデータを記録する。その後、ブロック１１２３にデータＤ１、Ｄ２、Ｄ３、Ｄ４を記録した後にブロック１１２３とブロック１１２４に挟まれた領域１１１６にもダミーデータを記録する。
【００７２】
次に、ブロック１１２４の各セクタにデータＤ５、Ｄ６、Ｄ７、Ｄ８を記録するために、データＤ５〜Ｄ８の記録に先立って、ブロック１１２３とブロック１１２４に挟まれた隙間の領域１１１７にダミーデータを記録する。その後、データＤ５〜Ｄ８の記録後にブロック１１２４とブロック１１２５に挟まれた領域１１１８にもダミーデータを記録する。
【００７３】
同様にして、ブロック１１２５の各セクタにデータＤ９、Ｄ１０、Ｄ１１、Ｄ１２を記録する前に、ブロック１１２４とブロック１１２５に挟まれた隙間の領域１１１９にダミーデータを記録する。その後、データＤ９〜Ｄ１２の記録後にブロック１１２５とブロック１１２６に挟まれた領域１１２０、１１２１にもダミーデータを記録する。
【００７４】
ここで、領域１１１５、１１１７、１１１９に記録されるダミーデータの長さ又はパターンは同じであり、領域１１１６、１１１８、１１２０に記録されるダミーデータの長さ又はパターンは同じである。以下では、説明の便宜上、ダミーデータに言及する際には、ダミーデータに、そのダミーデータが記録される隙間領域の参照符号と同じ符号を付して説明する。
【００７５】
ダミーデータ１１１５、１１１７、１１１９とダミーデータ１１１６、１１１８、１１２０の２種類のダミーデータの区別がつく程度に長さが異なるのであれば、各々のダミーデータにおいて、ランダムにその長さや開始位置を異ならせても良い。例えばダミーデータ１１１５、１１１７、１１１９において、ダミーデータの長さや開始位置をランダムに基準クロックの数倍程度異ならせて記録することにより、同じ領域に複数回の記録を行う際に、高温になる領域が記録毎に微妙に変化し、記録膜の劣化を低減することができる。
【００７６】
また、コンテンツＡの先頭のブロック１１２３の前に記録するダミーデータ１１１４は、コンテンツＡ内の各ブロックの直前に記録するダミーデータ１１１５、１１１７、１１１９よりも長くしてもよい。すなわち、データＤ１〜Ｄ１２が一つのコンテンツＡを形成している場合に、ダミーデータ１１１５の前にダミーデータ１１１４を記録し、かつ、ダミーデータ１１１４とそれ以外のダミーデータの長さやパターンを異ならせる。これにより、ダミーデータ１１１４を再生することでコンテンツＡの開始位置を認識することが可能となる。
【００７７】
また、コンテンツＡの最終のブロック１１２５の後に記録するダミーデータ１１２１は、コンテンツＡ内の各ブロックの直後に記録するダミーデータ１１１４、１１１６、１１１８、１１２０よりも長くしてもよい。すなわち、データＤ１〜Ｄ１２が一つのコンテンツＡを形成している場合に、コンテンツＡの最後のデータＤ１２の後に記録されたダミーデータ１１２０の後にさらにダミーデータ１１２１を記録し、かつ、ダミーデータ１１２１とそれ以外のダミーデータの長さやパターンを異ならせる。これにより、ダミーデータ１１２１を再生することでコンテンツＡの終了位置を認識することが可能となる。
【００７８】
また、本記録形態のように、ブロック１１２５とブロック１１２６に挟まれた領域１１２１にダミーデータが存在することにより、次のコンテンツをブロック１１２６から記録する際に、記録パワーの変動等があっても、ブロック１１２５に記録されたデータＤ１２の品質劣化を抑制することができる。
【００７９】
以上のように、エラー訂正を含んだデータの記録単位（ブロック）の前方にダミーデータを記録し、エラー訂正を含んだデータの記録単位（ブロック）内には、ダミーデータを記録しないこと又は比較的小さいサイズのダミーデータしか記録しないことにより、フォーマット効率を上げることができるとともに、ＰＬＬの安定した同期引き込みを実現することができる。
【００８０】
なお、本実施形態の説明における隙間領域をセクタと読み換えることにより、本実施形態の思想を、データ領域間にアドレス領域を設けた実施の形態１に対しても適用できる。また、実施の形態１において図７を参照して示した本発明の思想を本実施形態に対しても適用可能である。
【図面の簡単な説明】
【００８１】
【図１】本発明における光ディスクのトラック上における物理的なセクタ構成を説明した図
【図２】本発明における光ディスクのトラック上における物理的なセクタ構成の別の例を説明した図
【図３】セクタ構造の説明図
【図４】ブロック毎にミラー領域が設けられたセクタ構造の説明図
【図５】本発明における光ディスクの記録装置のブロック図
【図６】複数のゾーンが設けられた光ディスクを示す図
【図７】本発明におけるセクタのフォーマットを説明した図
【図８】ダミーデータの記録形態の種々の態様を説明した図（実施の形態１）
【図９】アドレス領域を設けない場合のダミーデータの記録形態を説明した図（実施の形態２）
【図１０】従来例における光ディスクのトラック上における物理的なセクタ構成を示した図
【図１１】従来例におけるセクタのフォーマットを説明した図
【符号の説明】
【００８２】
１０１，１０３  グルーブトラック
１０２  ランドトラック
１０４，３０２〜３１１  セクタ
１０５，８０２  アドレス領域
１０６，８０３  データ領域
３０１  トラック
３１２，３１３，７０７〜７３０，１１０４，１１０５，１１１０，１１１１  １１２２〜１１２６  ブロック
５０１  光ディスク
５０３  光ピックアップ
５０６  再生二値化回路
５０７  ディジタル信号処理回路
５０９  ＣＰＵ
１１０２，１１０３，１１０８，１１０９，１１１４〜１１２１  隙間領域
【図１】
2007317357.tif 000003
【図２】
2007317357.tif 000004
【図３】
2007317357.tif 000005
【図４】
2007317357.tif 000006
【図５】
2007317357.tif 000007
【図６】
2007317357.tif 000008
【図７】
2007317357.tif 000009
【図８】
2007317357.tif 000010
【図９】
2007317357.tif 000011
【図１０】
2007317357.tif 000012
【図１１】
2007317357.tif 000013